(57)【要約】【課題】光ファイバと光導波路型ＳＨＧ素子間で、レーザ光の高い伝達効率を実現する。【解決手段】所定波長のレーザ光を発生する半導体レーザ素子１０６３と、半導体レーザ素子１０６３から射出されたレーザ光を用いてそのレーザ光の第２高調波を生成する光導波路型ＳＨＧ素子１０６６と、レーザ光源１０６３の射出側端部と光導波路型ＳＨＧ素子１０６６の入射側端部との間に介設された光ファイバ１０６ａとを備え、光ファイバ１０６ａの光導波路型ＳＨＧ素子１０６６側の端部と光導波路型ＳＨＧ素子１０６６の入射側端部との間隔を使用レーザ光の波長の１／４〜１／２とした。【選択図】　　　図３
2004138825.tif 000002
【特許請求の範囲】
【請求項１】
所定波長のレーザ光を射出する半導体レーザ素子と、前記半導体レーザ素子から射出され、光導波路に入射されるレーザ光の第２高調波を生成する光導波路型ＳＨＧ素子とを備えるレーザ発光装置において、前記半導体レーザ素子の射出端部と前記光導波路型ＳＨＧ素子の入射端部との間に介設された所定長を有する光ファイバを備え、前記光ファイバは、その出力端と前記光導波路型ＳＨＧ素子の入射端部との間隔が前記所定波長の１／４〜１／２であることを特徴とするレーザ発光装置。
【請求項２】
前記光ファイバは、シングルモード光ファイバであることを特徴とする請求項１に記載のレーザ発光装置。
【請求項３】
前記半導体レーザ素子と前記光ファイバとの間に、レーザ光を集光するレンズが介設されていることを特徴とする請求項１または２に記載のレーザ発光装置。
【請求項４】
請求項１〜３のいずれかに記載のレーザ発光装置からのレーザ光を画像データで光変調し、所定方向に走査させるレーザ露光装置と、レーザ光の走査上で該走査方向と交差する方向に感光材を搬送する搬送手段とを備えたことを特徴とする写真処理装置。
【発明の詳細な説明】
【０００１】
【発明の属する技術分野】
本発明は、所定波長のレーザ光を射出する半導体レーザ素子と、前記半導体レーザ素子から射出され、光導波路に入射されるレーザ光の第２高調波を生成する光導波路型ＳＨＧ素子とを備えるレーザ発光装置、及びレーザ発光装置を用いた写真処理装置に関する。
【０００２】
【従来の技術】
従来、写真フィルムに写されたコマ画像をイメージスキャナで読み取って得られた画像データや、撮像素子を備えたデジタルカメラで撮像し、ＩＣカード（メモリカード）に保存された画像データを感光材に転写するレーザ露光装置が知られている。このレーザ露光装置は、Ｒ（赤）、Ｇ（緑）、Ｂ（青）の各色のレーザ光を発生し、特定方向に射出するレーザ発生部と、レーザ発生部からのＲ、Ｇ、Ｂ各色のレーザ光をＲ、Ｇ、Ｂ各色の画像データのレベルに対応させて変調するレーザ強度変調素子と、変調されたレーザ光を感光材面上で走査するポリゴンミラーを含む光学系とを備える。そして、レーザ露光装置によるレーザ光の走査方向と交差する方向に感光材を定速搬送することで、感光材面上に２次元のカラー画像を形成している。
【０００３】
レーザ露光装置のうち、Ｇ、Ｂ色用のレーザ露光装置、例えばＧ色用の場合、半導体レーザ素子から射出される波長１０６０ｎｍのレーザ光からそのレーザ光の第２高調波を生成する光導波路型ＳＨＧ素子を採用し、この光導波路型ＳＨＧ素子を通過した第２高調波のレーザ光をＧ色用の露光光源とすることでＧ色のレーザ光を得、また同様な構成でＢ色用のレーザ光を得ている。
【０００４】
ところで、光導波路型ＳＨＧ素子に形成された光導波路のサイズは、長さは１０ｍｍ程度を有する一方、幅は４μｍ程度、厚み（高さ）は２μｍ程度のものが一般的であって極めて小型であることから、半導体レーザ素子の射出端と光導波路型ＳＨＧ素子の入射端との位置を正確に一致させることは容易ではない。また、半導体レーザ素子と光導波路型ＳＨＧ素子とは固有の温度特性を有することから、両者を一体的に配設する構成は温度調整、管理の点で容易ではない。そこで、出願人は、半導体レーザ素子と光導波路型ＳＨＧ素子とを光ファイバで結合する技術を提案した（特願２００２−０１１３２２）。
【０００５】
【特許文献１】
特開２００２−０１１３２２号公報
【０００６】
【発明が解決しようとする課題】
すなわち、半導体レーザ素子と光導波路型ＳＨＧ素子との間にレーザ光の光路となる所定長の光ファイバを介設することで、半導体レーザ素子と光ファイバとの端部の位置調整が容易になると共に、半導体レーザ素子及び光導波路型ＳＨＧ素子を適正温度に調整することを可能とした。
【０００７】
半導体レーザ素子及び光導波路型ＳＨＧ素子と光ファイバとの結合は連結構造にすることが接続作業の容易さ、特に出力端と入力端との位置合わせの点で好ましく、レーザ光の伝達効率に関しても、両者端面の位置合わせに注意を払っている程度であった。しかしながら、特に光導波路型ＳＨＧ素子の構造上、光ファイバとの直結は必ずしも最高の伝達効率を実現しているかどうかは不明であった。
【０００８】
本発明は、上記課題に鑑みてなされたもので、光ファイバと光導波路型ＳＨＧ素子との接続間隔を所定寸法に規定することで、光ファイバと光導波路型ＳＨＧ素子間で、レーザ光の高い伝達効率を実現するレーザ発光装置及び写真処理装置を提供することを目的とする。
【０００９】
【課題を解決するための手段】
請求項１に記載のレーザ発光装置は、所定波長のレーザ光を射出する半導体レーザ素子と、前記半導体レーザ素子から射出され、光導波路に入射されるレーザ光の第２高調波を生成する光導波路型ＳＨＧ素子とを備えるレーザ発光装置において、前記半導体レーザ素子の射出端部と前記光導波路型ＳＨＧ素子の入射端部との間に介設された所定長を有する光ファイバを備え、前記光ファイバは、その出力端と前記光導波路型ＳＨＧ素子の入射端部との間隔が前記所定波長の１／４〜１／２であることを特徴とする。
【００１０】
上記の構成によれば、半導体レーザ素子によって、所定波長のレーザ光が発生され、光導波路型ＳＨＧ素子によって、半導体レーザ素子から射出されたレーザ光を用いてそのレーザ光の第２高調波が生成される。ここで、光ファイバが半導体レーザ素子の射出側端部と光導波路型ＳＨＧ素子の入射側端部との間に介設されているため、この光ファイバによって、半導体レーザ素子からのレーザ光が光導波路型ＳＨＧ素子に伝送される。加えて、光ファイバの光導波路型ＳＨＧ素子側の端部と光導波路型ＳＨＧ素子の入射側端部との距離が半導体レーザ素子から射出されたレーザ光の波長の１／４〜１／２であるため、伝送損失が低減され、光導波路型ＳＨＧ素子から高効率にレーザ光が射出される。
【００１１】
ここで、光ファイバの光導波路型ＳＨＧ素子側の端部と光導波路型ＳＨＧ素子の入射側端部との距離が半導体レーザ素子から射出されたレーザ光の波長の１／４〜１／２である場合に伝送損失が低減されることは、後述するように実験によって確認されている。
【００１２】
請求項２に記載のレーザ発光装置は、前記光ファイバが、シングルモード光ファイバであることを特徴としている。上記の構成によれば、光ファイバが、シングルモード光ファイバであるため、半導体レーザ素子から射出されたレーザ光が効率的に伝送される。
【００１３】
請求項３に記載のレーザ発光装置は、前記半導体レーザ素子の射出側端部と前記光ファイバの前記半導体レーザ素子側の端部との間に、レーザ光を集光するレンズを介設したことを特徴としている。上記の構成によれば、半導体レーザ素子の射出側端部と光ファイバの半導体レーザ素子側の端部との間に、レーザ光を集光するレンズが介設されているため、半導体レーザ素子から射出されたレーザ光が効率的に伝送される。
【００１４】
請求項４に記載の写真処理装置は、感光材を収納する感光材収納部と、請求項１〜４のいずれかに記載のレーザ発光装置を有し、前記感光材収納部から搬出された感光材に画像の露光を行なうレーザ光走査装置と、このレーザ光走査装置で露光された感光材面上の画像を顕在化する現像部とを備えたことを特徴としている。
【００１５】
上記の構成によれば、レーザ光走査装置が、請求項１〜４のいずれかに記載のレーザ発光装置を有しているため、高効率にレーザ光が射出されるレーザ発光装置を有するレーザ光走査装置及び写真処理装置が実現される。
【００１６】
【発明の実施の形態】
図１は本発明に係るレーザ発光装置が適用される写真処理装置の一構成例を示す外観斜視図である。写真処理装置１はフィルム（ネガ、ポジ）からイメージスキャナで読み取られた画像データや、デジタルカメラで撮影された画像データ、パソコンで作成された画像データを感光材（印画紙）に露光するレーザ光走査装置１００と、ロール状に巻回された印画紙をレーザ光走査装置１００に向けて送り出し可能に収納する感光材収納部２００と、露光後の印画紙を現像、漂白定着及び安定処理する現像部３００、安定処理された印画紙を乾燥する乾燥部４００、及びこれら部材間に亘る印画紙搬送系（図略）等から構成されている。
【００１７】
図２は、レーザ光走査装置１００の構造を説明する斜視図である。なお、図２では、筐体１０２の上部を省略して図示しているが、筐体１０２は暗室構造にされると共に塵が入り込みを防止するべく密閉構造とされている。筐体１０２内の所定位置には、それぞれビーム状のレーザ光を射出する３個のレーザ光源１０４、１０６、１０８（レーザ発光装置）が配設されている。レーザ光源１０４は、例えば波長６８５ｎｍのＲ（赤）色のレーザ光を発生する半導体レーザ素子（ＬＤ）１０４１を備えている。レーザ光源１０６は、例えば波長１０６０ｎｍのレーザ光を発生するレーザ発光ユニット１０６１と、レーザ発光ユニット１０６１から射出されたレーザ光を、その第２高調波である波長５３０ｎｍのＧ（緑）色のレーザ光に変換して出力するＳＨＧ（Ｓｅｃｏｎｄ　Ｈａｒｍｏｎｉｃ　Ｇｅｎｅｒａｔｉｏｎ）ユニット１０６２とを備えている。同様に、レーザ光源１０８は、例えば波長９４６ｎｍのレーザ光を発生するレーザ発光ユニット１０８１と、レーザ発光ユニット１０８１から射出されたレーザ光を、その第２高調波である波長４７３ｎｍのＢ（青）のレーザ光に変換して出力するＳＨＧユニット１０８２とを備えている。
【００１８】
レーザ光源１０４、１０６、１０８のレーザ射出側には、コリメータレンズ１１０、レーザ強度変調部材として機能する音響光学変調素子（Ａｃｏｕｓｔｏ−Ｏｐｔｉｃ　Ｍｏｄｕｌａｔｏｒ；以下、ＡＯＭという）１１２、レーザ整形開口１１４、ミラー１１６が順に配置されており、該ミラー１１６の反射側には、球面レンズ１１８、シリンドリカルレンズ１２０及びポリゴンミラー１２２が順に配置されている。
【００１９】
ポリゴンミラー１２２の反射側には、ｆθレンズ１２４、シリンドリカルレンズ１２６、ミラー１２８，１３０が順に配置されている。そして、矢印Ｃ方向から搬送されてきた印画紙２はミラー１３０で反射されたＲ、Ｇ、Ｂのレーザ光に照射され、画像が露光される。なお、前記レーザ整形開口１１４からミラー１３０までの部材によって光学系が構成されている。
【００２０】
ＡＯＭ１１２は、超音波光学効果の作用によって入射レーザ光に対して回折を生じさせることで出力強度を変更可能にする音響光学媒質を内蔵するもので、レーザ光源１０４、１０６、１０８からのレーザ光の光軸上に音響光学媒質の位置を一致させるべく筐体１０２の所定位置にそれぞれ配置されるとともに、それぞれＡＯＭドライバ（図略）に接続されている。図略の画像メモリから処理対象の画像データ（Ｒ、Ｇ、Ｂ各色の濃度データ）がＡＯＭドライバを介して各ＡＯＭ１１２に入力されると、ＡＯＭ１１２の音響光学媒質はＡＯＭドライバの出力に応じた超音波光学効果が作用して回折が生じ、ＡＯＭ１１２に入射されたレーザ光を濃度データに応じた強度に変換（光変調）する。
【００２１】
つぎに、上記の構成のレーザ光走査装置の動作について説明する。レーザ光源１０４から射出されたレーザ光はコリメータレンズ１１０を介してＡＯＭ１１２に入射する。画像データのＲ、Ｇ、Ｂ各色の濃度データに応じた信号がＡＯＭ１１２に入力されることで、ＡＯＭ１１２に入射したレーザビームが画像の濃度に対応した強度に変調されて出力される。ＡＯＭ１１２から出力されたレーザ光は、矢印の向きに一定速度で回転するポリゴンミラー１２２によって主走査方向に走査された後、印画紙２に照射される。印画紙２は、主走査方向と直交する矢印Ｃの向きに図略の印画紙搬送系により搬送され、これによって印画紙２上に２次元のカラー画像が形成される。
【００２２】
＜第１実施形態＞
図３は、第１実施形態のレーザ光源１０６、１０８の外観斜視図を示している。図４（ａ）は図３の側面図を示し、（ｂ）は図３の上面図を示している。以下、レーザ光源１０６、１０８は同一構成を有しているため、レーザ光源１０６のみ説明する。レーザ光源１０６は、直方体状の筐体（図略）によって覆われており、筐体の内部には、半導体レーザ素子１０６３を含むレーザ発光ユニット１０６１と、レーザ発光ユニット１０６１の射出側に配設されたＳＨＧユニット１０６２とを備えている。レーザ発光ユニット１０６１は、半導体レーザ素子１０６３の温度調整が可能な部材、例えばペルチェ素子により構成され、筐体の底面に取り付けられた略直方体形状のベース部材１０６４と、ベース部材１０６４の上面に取り付けられ、半導体レーザ素子１０６３を支持するレーザ支持部材１０６５とを備え、半導体レーザ素子１０６３は、レーザ支持部材１０６５のほぼ中心部に一部が露出するように埋設されている。
【００２３】
ＳＨＧユニット１０６２は、光導波路型ＳＨＧ素子１０６６の温度調整が可能な部材、例えばペルチェ素子により構成され、筐体の底面に取り付けられた略直方体状のベース部材１０６７と、ベース部材１０６７の上面に取り付けられたＳＨＧ支持部材１０６８とを備えており、光導波路型ＳＨＧ素子１０６６は、ＳＨＧ支持部材１０６８の上面に取り付けられている。半導体レーザ素子１０６３と光導波路型ＳＨＧ素子１０６６とは所定長を有する光ファイバ１０６ａを介して所定距離ｄ離間して配設され、光導波路型ＳＨＧ素子１０６６の導波路を通過したレーザビームはその波長が１／２とされて射出される。
【００２４】
半導体レーザ素子１０６３は、例えば二重へテロ構造を有する、ＡｌＧａＡｓレーザあるいはＩｎＧａＡｓＰレーザなどのレーザダイオードが用いられ、所定波長、例えば９４６ｎｍのレーザビームを射出する。また、半導体レーザ素子１０８３は、半導体レーザ素子１０６３と同一構成を有し、所定波長、例えば９４６ｎｍのレーザ光を射出する。
【００２５】
光導波路型ＳＨＧ素子１０６６は、ＬｉＮｂＯ３からなり、分極反転層がレーザ光の進行方向に向かって周期的に配列形成された構造を有している。光導波路型ＳＨＧ素子１０６６の上面であって、分極反転層の配列方向と直交する方向には、レーザ光を透過するための導波路１０６９が形成されている。半導体レーザ素子１０６３から射出された波長が１０６０ｎｍのレーザ光は、光導波路型ＳＨＧ素子１０６６を通過すると、波長が１／２である５３０ｎｍの緑色のレーザ光に変換される。また、半導体レーザ素子１０８３から射出された波長９４６ｎｍのレーザ光は、光導波路型ＳＨＧ素子１０８６を通過すると、波長が１／２である４７３ｎｍの青色のレーザ光に変換される。
【００２６】
光ファイバ１０６ａは、所定波長の光のみを透過させる単一モード（シングルモード）光ファイバである。
【００２７】
図５は、第１実施形態に係るレーザ発光装置を用いて行った効果確認のための実験結果を示すグラフであり、縦軸は光ファイバ１０６ａから出力されるレーザ光の強度を所定強度のレーザ光に対する相対値で表した出力レベルＷを示し、横軸は光ファイバ１０６ａの出力端面Ｐ２と光導波路型ＳＨＧ素子１０６６の入射端面Ｐ１との（隙間）間隔ｄを示している。なお、λは光導波路型ＳＨＧ素子１０６６から出力されるレーザ光の波長を示す。
【００２８】
光導波路型ＳＨＧ素子１０６６から出力されるレーザ光の出力レベルＷは、半導体レーザ素子１０６３から射出されるレーザ光の波長をλとすると、距離ｄが、λ／４（μｍ）〜λ／２（μｍ）の範囲において、値２．５を示しており、最も強い強度を示し、λ／２（μｍ）以上になると、出力レベルＷが周期的に変動し、そのピークはいずれも値２．５よりも低く、かつ、距離ｄが増大するにつれて漸減する傾向にある。また、距離ｄが、λ／４（μｍ）よりも小さい範囲では、レーザ光の出力レベルＷは、値２．１付近をほぼ横ばいに変化している。レーザ光の出力レベルＷがこのような特性を示すのは、光導波路型ＳＨＧ素子１０６６の端面Ｐ１での境界反射により反射し、戻ってきた光の内、光ファイバ１０６ａの端面Ｐ２で再反射した光が、Ｐ１〜Ｐ２間距離の２倍の伝搬路によって、光導波路型ＳＨＧ素子１０６６から出力する本来の光と位相が合致すれば強め合い、伝搬路が変化するに従って、位相がずれ、強め合う成分が減少する。一方、位相が反転する伝搬路長になったときは、弱め合う。従って、出力強度は、波長ベースで周期性を有する。Ｐ１とＰ２との間隔が狭いほど、光ファイバ１０６ａから光導波路型ＳＨＧ素子１０６６に進入する光量が多いことから、１／２から１／４までは出力レベルは１／２に対して、トータル的にはさほど減少しない。それより近づくと、位相ずれの方の影響も強くなり、値２．１当たりで落ち着く。一方、間隔が１／２より大きくなると、その分、光ファイバ１０６ａから光導波路型ＳＨＧ素子１０６６に進入せず、漏れる光が増大することから、漸減する。
【００２９】
本レーザ発行装置では、Ｐ１〜Ｐ２間の距離ｄがλ／４〜λ／２の範囲内のいずれかの値をとるように設定している。そのため、光導波路型ＳＨＧ素子１０６６からは強度が高いレーザ光が射出されることとなる。なお、光導波路型ＳＨＧ素子１０６６は、ＳＨＧ支持部材１０６８に対してレーザ光の射出方向に対して前後にスライド可能に取り付けられているため、例えばマイクロメータ等を用いて、Ｐ１〜Ｐ２間の距離ｄを調節することができる。
【００３０】
＜第２実施形態＞
図６は、第２実施形態に係るレーザ発光装置を示した図である。第２実施形態のレーザ発光装置は、半導体レーザ素子１０６３の射出側端部と光ファイバ１０６ａの半導体レーザ素子１０６３側の端部との間に、レーザ光を集光するレンズ１０６ｃが、そのレンズ面がレーザ光の進行方向と直交するように介設されて構成された構成を有している。レンズ１０６ｃは、両面が凸状のレンズである。半導体レーザ素子１０６３から射出されたレーザ光は、レンズ１０６ｃによって集光されて光導波路型ＳＨＧ素子１０６６に導かれる。そのため、レーザ光の伝送効率が向上することとなる。
【００３１】
＜第３実施形態＞
図７は、第３実施形態に係るレーザ発光装置の主要部分を示した模式図である。第３実施形態のレーザ発光装置は、第１実施形態のレーザ発光装置において、光ファイバ１０６ａに代えて、ファイバーグレーティング１０６ｄを配設した構成を有している。ファイバーグレーティング１０６ｄは、光ファイバのコアに周期的な屈折率変調を形成したもので、特定波長の光のみを透過する光フィルターとして機能する。本実施形態では、ファイバーグレーティング１０６ｄは、波長が１０６０ｎｍのレーザ光のみを透過させ、それ以外の波長成分を有するレーザ光の透過を抑制する。また、ファイバーグレーティング１０８ｄは、９４６ｎｍのレーザ光のみを透過させ、それ以外の波長成分のレーザ光の透過を抑制する。また、本実施形態に係るレーザ発光装置においても、ファイバーグレーティング１０６ｄと、光導波路型ＳＨＧ素子１０６６との距離ｄをλ／４〜λ／２の範囲に設定している。そのため、光導波路型ＳＨＧ素子１０６６から強度の高いレーザ光が射出されることとなる。
【００３２】
半導体レーザ素子１０６３から射出された波長１０６０ｎｍのレーザ光には、波長１０６０ｎｍ以外の波長成分を有するレーザ光が含まれていないとは限らない。そのため、このレーザ光を用いて印画紙Ｐを露光すると、印画紙Ｐは、５３０ｎｍ以外の波長成分のレーザ光にも強く感光してしまい、画質の低下を招くおそれがある。そこで、本実施形態のレーザ発光装置では、ファイバーグレーティング１０６ｄを配設し、波長１０６０ｎｍ以外の波長成分のレーザ光の透過を抑制して、不要な波長成分のレーザ光による印画紙Ｐの露光を防ぎ、画質の向上を図っている。
【００３３】
図８は、第３実施形態に係るレーザ発光装置の効果を確認するために行った実験結果を示したグラフであり、縦軸はファイバーグレーティング１０６ｄから射出されるレーザ光の強度Ｗを示し、横軸は波長を示している。図７中、点線で示す曲線Ｇ１は、ファイバーグレーティング１０６ｄを介設しない場合を示し、実線で示す曲線Ｇ２は、ファイバーグレーティング１０６ｄを介設した場合を示している。図８に示すように、ファイバーグレーティング１０６ｄを介設することにより、波長が１０６０ｎｍのレーザ光のみが透過され、それ以外の波長成分のレーザ光の透過が抑制されていることが分かる。
【００３４】
＜第４実施形態＞
図９は、レーザ発光装置の第４実施形態を示した模式図である。第４実施形態のレーザ発光装置は、第３実施形態のレーザ発光装置において、半導体レーザ素子１０６３の射出側とファイバーグレーティング１０６ｄとの間にレンズ１０６ｃを介設した構成を有している。この構成によれば、半導体レーザ素子１０６３から射出されたレーザ光は、レンズ１０６ｃにより集光された後、ファイバーグレーティング１０６ｄにより、１０６０ｎｍの波長成分のレーザ光のみが透過される。そのため、波長が１０６０ｎｍのレーザ光が高効率で伝送されることとなる。
【００３５】
なお、本発明は以下の形態をとることができる。
【００３６】
（１）本実施形態においては、レーザ光源１０４は半導体レーザ素子１０４１だけで構成しているが、半導体レーザ素子及び光導波路型ＳＨＧ素子の両方で構成することも可能である。また、レーザ光源１０６，１０８は半導体レーザ素子及び光導波路型ＳＨＧ素子の両方で構成しているが、半導体レーザ素子だけで構成することも可能である。
【００３７】
（２）本実施形態においては、レーザ光走査装置１００を写真処理装置１に適用したものを例示したが、これに限定されるものではなく、例えば複写機、医療用のＣＴスキャナーからの画像形成に適用することも可能である。
【００３８】
【発明の効果】
請求項１記載の発明によれば、光ファイバの光導波路型ＳＨＧ素子側の端部と光導波路型ＳＨＧ素子の入射側端部との距離が半導体レーザ素子から射出されたレーザ光の波長の１／４〜１／２であるため、伝送損失が低減され、光導波路型ＳＨＧ素子から高効率にレーザ光を射出することができる。
【００３９】
請求項２記載の発明によれば、半導体レーザ素子から射出されたレーザ光を効率的に伝送することができる。
【００４０】
請求項３記載の発明によれば、半導体レーザ素子から射出されたレーザ光を効率よく伝送することができる。
【００４１】
請求項４記載の発明によれば、高効率のレーザ光が射出されるレーザ発光装置を有するレーザ光走査装置及び写真処理装置を実現することができる。
【図面の簡単な説明】
【図１】本発明のレーザ発光装置が用いられる写真処理装置の一構成例を示す図である。
【図２】レーザ光走査装置の構造を説明する斜視図である。
【図３】レーザ発光装置の全体斜視図を示した図である。
【図４】第１実施形態に係るレーザ発光装置の主要部分を示した図である。
【図５】第１実施形態に係るレーザ発光装置の効果を示したグラフである。
【図６】第２実施形態に係るレーザ発光装置の主要部分を示した図である。
【図７】第３実施形態に係るレーザ発光装置の主要部分を示した図である。
【図８】第３実施形態のレーザ発光装置の効果を示したグラフである。
【図９】第４実施形態にかかるレーザ発光装置の主要部分を示した図である。
【符号の説明】
１　写真処理装置
２　感光材（印画紙）
１００　レーザ光走査装置
１０４　レーザ光源
１０４１　１０６３　１０８３　半導体レーザ素子
１０６６　１０８６　光導波路型ＳＨＧ素子
１０６ａ　１０８ａ　光ファイバ
１０６９　１０８９　導波路
１０６ｂ　１０８ｂ　ファイバーグレーティング
１０６ｃ　１０８ｃ　レンズ
２００　感光材収納部
３００　現像部
【図１】
2004138825.tif 000003
【図２】
2004138825.tif 000004
【図３】
2004138825.tif 000005
【図４】
2004138825.tif 000006
【図５】
2004138825.tif 000007
【図６】
2004138825.tif 000008
【図７】
2004138825.tif 000009
【図８】
2004138825.tif 000010
【図９】
2004138825.tif 000011